(57)【要約】      （修正有）【課題】身体を被覆し収容する膨出部の外側に額部を囲繞して配置し、膨出部の突出を促すとともに、膨出部の変位を安定させて使用時における安定性やフィット性ないし密着性を向上し、身体との良好な密着性と保温性を向上し得る掛布団を提供する。【解決手段】側方に突出する凸状湾曲縁を形成した少なくとも二組の表地と裏地を備える。前記表地と裏地の相対する内側の凸状湾曲縁を縫着する。前記縫着部を一側面に膨出形成した膨出部２を設ける。前記膨出部２の表地と裏地の間に充填材を充填するとともに、その周縁を縫着した掛布団であること。前記膨出部２の外側に額部３を囲繞して配置する。前記額部３の表地１１と裏地の内側に、前記膨出部２の表地と裏地の凸状湾曲縁と係合可能な内側仕切縁を形成する。前記内側仕切縁と前記膨出部２の凸状湾曲縁を縫着するとともに、前記額部３の周縁を縫着する。前記額部３の表地１１と裏地の間に充填材を充填する。【選択図】図１
2019180696.tif 000002
【特許請求の範囲】
【請求項１】
側方に突出する凸状湾曲縁を形成した少なくとも二組の表地と裏地を備え、前記表地と裏地の相対する内側の凸状湾曲縁を縫着し、該縫着部を一側面に膨出形成した膨出部を設け、該膨出部の表地と裏地の間に充填材を充填するとともに、その周縁を縫着した掛布団において、前記膨出部の外側に額部を囲繞して配置し、該額部の表地と裏地の内側に、前記膨出部の表地と裏地の凸状湾曲縁と係合可能な内側仕切縁を形成し、該内側仕切縁と前記膨出部の凸状湾曲縁を縫着するとともに、前記額部の周縁を縫着し、額部の表地と裏地の間に充填材を充填したことを特徴とする掛布団。
【請求項２】
前記膨出部の直下に利用者の身体に沿って空隙部を設けた請求項１記載の掛布団。
【請求項３】
前記利用者の身体と直交方向の空隙部の両側を額部で閉塞可能にした請求項１記載の掛布団。
【請求項４】
前記膨出部を額部の表裏面より突出可能に形成した請求項１記載の掛布団。
【請求項５】
前記膨出部を平面視略木の葉形状または矩形に形成し、該膨出部の内側に利用者の身体を収容可能にした請求項１記載の掛布団。
【請求項６】
前記額部を平面視略Ｕ字形状または逆Ｃ字形状に形成した請求項１記載の掛布団。
【請求項７】
前記膨出部の表地と裏地の一端に仕切マチの一端を縫着するとともに、額部の表地と裏地の一端に仕切マチの一端を縫着し、前記二つの仕切マチの他端を縫着した請求項１記載の掛布団。
【請求項８】
前記膨出部と額部の各表地と裏地に複数のマチの一端を縫着し、該マチの他端を縫着し、膨出部と額部の内部を複数の仕切室に区画し、各仕切室に充填材を充填した請求項１記載の掛布団。
【請求項９】
前記膨出部の仕切室の容積を、額部の仕切室の容積よりも大きく形成した請求項８記載の掛布団。
【請求項１０】
前記膨出部の一端を開口し、他端を閉塞した請求項１記載の掛布団。
【発明の詳細な説明】
【技術分野】
【０００１】
本発明は、利用者の身体を被覆し収容する膨出部の外側に額部を囲繞して配置し、膨出部の突出を促すとともに、膨出部の変位を安定させて使用時における安定性やフィット性ないし密着性を向上し、身体との良好な密着性と保温性を向上し得る掛布団に関する。
【背景技術】
【０００２】
従来の掛布団の中に、表地と裏地にキルティングを縦横に縫着して複数の区画室を形成し、各区画室に羽毛を充填して、羽毛の片寄りを防止するようにしたものがある。
このような構成の掛布団は襟元部の中央部が盛り上がり、襟元部と身体の両肩部との間に隙間が形成されて密着性が損なわれ、保温性が低下するという問題がある。
【０００３】
このような問題を解決するものとして、表地と裏地との間に羽毛を充填し、その幅方向を複数の仕切り線で縫着し、またその長さ方向を二本の仕切り線で縫着して複数の区画室を形成し、この長さ方向の両端の襟元部と足元部の区画室を幅広に形成し、これらの区画室に羽毛を充填した複数の袋体を収容し、使用時における身体とのフィット性を向上し、身体と掛布団との間の隙間の発生を防止するとともに、襟元部と足元部の充填材の量を補完し、保温性を向上するようにしたものがある（例えば、特許文献１参照）。
【０００４】
しかし、この掛布団は使用時に襟元部と足元部の区画室が外側に開口するとともに、それらが幅広のため、身体と掛布団と敷き布団との間の隙間の発生を助長し、身体とのフィット性や保温性が低下する問題があった。
【０００５】
このような問題を解決するものとして、表地と裏地との間に充填材を充填し、その幅方向を複数の仕切り線で縫着し、またその長さ方向を４本の仕切り線で縫着し、この仕切り線を襟元部から足元部に亘って斜状に配置し、一組の仕切り線の間隔を足元側に幅狭に形成し、掛布団内に身体形状に合った錐体状の空間を形成し、掛布団と身体との間の隙間の形成を防止し、外気の侵入を防止するとともに、掛布団の重みによる圧迫感を軽減するとともに、掛布団内における身体の自由度を確保するようにしたものがある（例えば、特許文献２参照）。
【０００６】
しかし、この掛布団は使用時に襟元部と足元部の区画室が外側に開口するため、身体と掛布団と敷き布団との間の隙間の発生を助長し、身体とのフィット性や保温性が低下する問題があった。
【０００７】
そこで、このような問題を解決するものとして、表地と裏地との間に複数のマチ布を幅方向に縫着するとともに、長手方向に沿って左右対称に膨らんだマチ布を縫着し、これらのマチ布で複数の小区画を形成し、この各小区画に詰め物を充填し、表地の横断面形状を、中央部を肉厚に端部側に沿って漸減して略曲面状の蓋形に形成したものがある（例えば、特許文献３参照）。
【０００８】
しかし、この掛布団は中央の肉厚部の長さ方向の両端部が周縁部に延設されているため、使用時に肉厚部が周縁部と同動して膨出作用が減殺され、身体への包容作用が低下するとともに、身体へのフィット性や密着性が低下して、身体と掛布団との間に隙間が生じ易くなり保温性が低下するという問題があった。
【０００９】
このため、出願人は、表側生地と裏側生地に人の平面形状に合わせて裁断した複数の裁断片を用意し、それらの対応する内側縁を縫着し、その縫着部を一側面に突出形成し、その周縁を縫着して内部に充填材を充填し、その中央部の厚さを最大にし、周縁に沿って厚さを漸減する掛布団を開発し、これを既に提案している（例えば、特許文献４参照）。
【００１０】
しかし、この掛布団は、中央部の厚さを最大にし、周縁に沿って厚さを漸減しているため、使用時に身体に掛けた際の安定性やフィット性ないし密着性に問題があり、身体と掛布団との間に隙間が生じ易くなり保温性が低下するという問題があった。
【先行技術文献】
【特許文献】
【００１１】
【特許文献１】特開２００３−３３９５００号公報
【特許文献２】特開２００６−３０５２３５号公報
【特許文献３】特開２００９−２８１３８号公報
【特許文献４】実用新案登録第３１９２２７６号公報
【発明の概要】
【発明が解決しようとする課題】
【００１２】
本発明はこのような問題を解決し、利用者の身体を被覆し収容する膨出部の外側に額部を囲繞して配置し、膨出部の突出を促すとともに、膨出部の変動や変位を抑制して使用時における安定性やフィット性ないし密着性を向上し、身体との良好な密着性と保温性を向上できる掛布団を提供することを目的とする。
【００１３】
請求項１の発明は、側方に突出する凸状湾曲縁を形成した少なくとも二組の表地と裏地を備え、前記表地と裏地の相対する内側の凸状湾曲縁を縫着し、該縫着部を一側面に膨出形成した膨出部を設け、該膨出部の表地と裏地の間に充填材を充填するとともに、その周縁を縫着した掛布団において、前記膨出部の外側に額部を囲繞して配置し、該額部の表地と裏地の内側に、前記膨出部の表地と裏地の凸状湾曲縁と係合可能な内側仕切縁を形成し、該内側仕切縁と前記膨出部の凸状湾曲縁を縫着するとともに、前記額部の周縁を縫着し、額部の表地と裏地の間に充填材を充填し、膨出部の周囲に額部を配置して膨出部の突出を促すとともに、膨出部の変位を安定させて使用時における安定性やフィット性ないし密着性を向上し、身体との良好な密着性と保温性を向上し得るようにしている。
【００１４】
請求項２の発明は、膨出部の直下に利用者の身体に沿って空隙部を設け、利用者の身体を容易に収容し、身体に容易にフィットないし密着して、身体との良好な密着性と保温性を向上し得るようにしている。
請求項３の発明は、利用者の身体と直交方向の空隙部の両側を額部で閉塞可能にし、身体の両肩方向の隙間の形成を防止して、身体との良好な密着性と保温性を向上し得るようにしている。
請求項４の発明は、膨出部を額部の表裏面より突出可能に形成し、膨出部の表面における美観を向上するとともに、膨出部の自由な変位を促し、身体との良好な密着性と保温性を向上し得るようにしている。
請求項５の発明は、膨出部を平面視略木の葉形状または矩形に形成し、該膨出部の内側に利用者の身体を収容可能にし、膨出部の審美感を向上して高品位感を図り、または一般的な形状に形成して容易に製作し得るようにしている。
【００１５】
請求項６の発明は、額部を平面視略Ｕ字形状または逆Ｃ字形状に形成し、膨出部の安定した変位を図り、身体との良好な密着性と保温性を向上するようにしている。
請求項７の発明は、膨出部の表地と裏地の一端に仕切マチの一端を縫着するとともに、額部の表地と裏地の一端に仕切マチの一端を縫着し、前記二つの仕切マチの他端を縫着し、二つの仕切マチによって膨出部と額部とを自由かつ柔軟に変位させるようにしている。
【００１６】
請求項８の発明は、膨出部と額部の各表地と裏地に複数のマチの一端を縫着し、該マチの他端を縫着し、膨出部と額部の内部を複数の仕切室に区画し、各仕切室に充填材を充填し、膨出部と額部の内部を対応する一対のマチによって仕切室を形成し、仕切室を自由かつ柔軟に変位可能にし、身体との良好な密着性と保温性を向上し得るようにしている。
請求項９の発明は、膨出部の仕切室の容積を、額部の仕切室の容積よりも大きく形成し、身体に密着する膨出部の保温性を向上するようにしている。
請求項１０の発明は、膨出部の一端を開口し、他端を閉塞し、開口側を襟元側とし、閉塞側を足元側にして使用上の利便性を向上するとともに、身体との良好な密着性と保温性を向上するようにしている。
【発明の効果】
【００１７】
請求項１の発明は、膨出部の外側に額部を囲繞して配置し、該額部の表地と裏地の内側に、前記膨出部の表地と裏地の凸状湾曲縁と係合可能な内側仕切縁を形成し、該内側仕切縁と前記膨出部の凸状湾曲縁を縫着するとともに、前記額部の周縁を縫着し、額部の表地と裏地の間に充填材を充填したから、膨出部の周囲に額部を配置して膨出部の突出を促すとともに、膨出部の変位を安定させて使用時における安定性やフィット性ないし密着性を向上し、身体との良好な密着性と保温性を向上することができる。
請求項２の発明は、膨出部の直下に利用者の身体に沿って空隙部を設けたから、利用者の身体を容易に収容し、身体に容易にフィットないし密着して、身体との良好な密着性と保温性を向上することができる。
【００１８】
請求項３の発明は、利用者の身体と直交方向の空隙部の両側を額部で閉塞可能にしたから、身体の両肩方向の隙間の形成を防止して、身体との良好な密着性と保温性を向上することができる。
請求項４の発明は、膨出部を額部の表裏面より突出可能に形成したから、膨出部の表面における美観を向上するとともに、膨出部の自由な変位を促し、身体との良好な密着性と保温性を向上することができる。
請求項５の発明は、膨出部を平面視略木の葉形状または矩形に形成し、該膨出部の内側に利用者の身体を収容可能にしたから、膨出部の審美感を向上して高品位感を図るとともに、または一般的な形状に形成することで容易に製作することができる。
【００１９】
請求項６の発明は、額部を平面視略Ｕ字形状または逆Ｃ字形状に形成したから、膨出部の安定した変位を図り、身体との良好な密着性と保温性を向上することができる。
請求項７の発明は、膨出部の表地と裏地の一端に仕切マチの一端を縫着するとともに、額部の表地と裏地の一端に仕切マチの一端を縫着し、前記二つの仕切マチの他端を縫着したから、二つの仕切マチによって膨出部と額部とを自由かつ柔軟に変位させることができる。
【００２０】
請求項８の発明は、膨出部と額部の各表地と裏地に複数のマチの一端を縫着し、該マチの他端を縫着し、膨出部と額部の内部を複数の仕切室に区画し、各仕切室に充填材を充填したから、膨出部と額部の内部を対応する一対のマチによって仕切室を形成し、仕切室を自由かつ柔軟に変位可能にし、身体との良好な密着性と保温性を向上することができる。
請求項９の発明は、膨出部の仕切室の容積を、額部の仕切室の容積よりも大きく形成したから、身体に密着する膨出部の保温性を向上することができる。
請求項１０の発明は、膨出部の一端を開口し、他端を閉塞したから、開口側を襟元側とし、閉塞側を足元側にして使用上の利便性を向上するとともに、身体との良好な密着性と保温性を向上することができる。
【図面の簡単な説明】
【００２１】
【図１】本発明を適用した掛布団を示す斜視図である。
【図２】前記実施形態の正面図である。
【図３】図２の左側面図で、掛布団の襟元側を示している。
【図４】図２の右側面図で、掛布団の足元側を示している。
【００２２】
【図５】本発明を適用した掛布団を示す平面図である。
【図６】本発明を適用した掛布団の底面図である。
【図７】図５のＡ−Ａ線に沿う断面図である。
【図８】図７の要部を拡大して示す断面図で、上下一対のマチの接続状況を示している。
【図９】図５のＢ−Ｂ線に沿う断面図である。
【００２３】
【図１０】図９の要部を拡大して示す断面図で、膨出部と額部の接続部における上下一対のマチの接続状況を示している。
【図１１】図９の要部を拡大して示す断面図で、膨出部の中央部における上下一対のマチの接続状況を示している。
【図１２】（ａ）本発明に適用した膨出部の一対の表地を示す平面図である。（ｂ）本発明に適用した膨出部の一対の裏地を示す平面図である。
【００２４】
【図１３】本発明に適用した額部の表地と裏地を一部重合して示す平面図である。
【図１４】本発明を適用した掛布団を示す平面図で、横マチの取付け前の状況を示している。
【図１５】本発明に適用した膨出部と額部の表地の縫着片に上側のマチを取付けた状況を示す斜視図である。
【図１６】本発明に適用した膨出部と額部の裏地の縫着片に下側のマチを取付けた状況を示す斜視図である。
【００２５】
【図１７】本発明に適用したマチを示す正面図で、（ａ），（ｂ）は上下一対の縦マチを示し、（ｃ），（ｄ）は上下一対のマチを示し、（ｅ），（ｆ）は上下一対の横マチを示している。
【図１８】本発明に適用したマチの取付状況を示す断面図で、（ａ），（ｂ）は上下一対の縦マチの取付け状況を示し、（ｃ），（ｄ）は上下一対の曲線マチの取付け状況を示し、（ｅ），（ｆ）は上下一対の横マチの取付状況を示している。
【図１９】上下一対のマチを接続し、周縁部を縫着して閉塞後、充填パイプを仕切室に挿入して充填材を充填している状況を示す斜視図である。
【００２６】
【図２０】本発明を適用した掛布団の使用状態を示す斜視図である。
【図２１】本発明を適用した掛布団の使用状態を示す正面図である。
【図２２】本発明を適用した掛布団の使用状態を示す襟元側の正面図である。
【図２３】本発明の他の実施形態を適用した掛布団を示す平面図である。
【発明を実施するための形態】
【００２７】
以下、本発明を図示の実施形態について説明すると、図１乃至図２２において１は平面視が略横長矩形の掛布団で、その長さ方向の略中央部に略木の葉形状の膨出部２が形成され、この外側に平面視が略Ｕ字形若しくは逆Ｃ字形状の額部３が前記膨出部２を囲繞して配置されている。
【００２８】
前記膨出部２は額部３の上面よりも若干上向きに突出形成され、その先端部は放物線状に形成されていて、掛布団１の長さ方向の一端の足元側１ａに配置され、この他側の襟元側１ｂの基端部は直線状に形成され、掛布団１の端部と同一線上に配置されている。
前記膨出部２は、掛布団１の使用時に利用者４の身体を収容かつ被覆可能な大きさに形成され、その先端部の足元側１ａで足元を被覆し、襟元側１ｂで両肩を被覆可能に形成されている。
【００２９】
前記膨出部２は長さ方向の後述する仕切線を中心に左右対称に形成され、その二つの膨出片５，６は細長な略木の葉形状の一対の表地７，８と、該表地７，８と同形の裏地９，１０とからなり、これらの表地７，８と裏地９，１０は、木綿、麻、絹、化繊の何れか一で構成されていて、それらの内側周縁を縫着している。
【００３０】
前記表地７，８は、縫着前は図１２に示すように略木の葉形状に形成され、その内外側に側方へ突出する凸状湾曲縁７ａ，７ｂ、８ａ，８ｂが形成され、その襟元側１ｂの一端が直線状に切断されている。
また、裏地９，１０も、縫着前は図１２に示すように略木の葉形状に形成され、その内外側に側方へ突出する凸状湾曲縁９ａ，９ｂ、１０ａ，１０ｂが形成され、その襟元側１ｂの一端が直線状に切断されている。
【００３１】
前記表地７，８は、内側周縁７ａ，８ａ同士を縫着し、その外側周縁７ｂ，８ｂは額部３の後述する切欠孔の内側周縁である凹状湾曲縁に縫着している。
また、前記裏地９，１０は、内側周縁９ａ，１０ａ同士を縫着し、その外側周縁９ｂ，１０ｂは額部３の後述する切欠孔の内側仕切縁である凹状湾曲縁に縫着している。
このように表地７，８および裏地９，１０の内側周縁７ａ，８ａ、９ａ，１０ａ同士を縫着することによって、縫着部が互いに内側へ引き寄せられ、その分生地の厚さ方向、つまり上方へ膨出して縫着され、立体縫製を可能にしている。
【００３２】
前記額部３は、前記表地７，８または裏地９，１０と同質の表地１１と裏地１２からなり、これらを平面視略矩形に形成し、その内側に前記膨出部２と同形の切欠孔１３，１４を形成し、それらの周縁に凹状湾曲縁１５，１６を形成している。
そして、額部３の表地１１の切欠孔１３に表地７，８の縫着片を位置付け、その凸状湾曲縁７ａ，８ｂを凹状湾曲縁１５に縫着する。同様に額部３の裏地１２の切欠孔１４に裏地９，１０の縫着片を位置付け、その凸状湾曲縁９ｂ，１０ｂを凹状湾曲縁１６に縫着する。
【００３３】
このように額部３の表地１１と裏地１２の切欠孔１３，１４の凹状湾曲縁１５，１６に、表地７，８の縫着片の凸状湾曲縁７ａ，８ｂと、裏地７，８の縫着片の凸状湾曲縁９，１０を縫着することによって、縫着部の凹凸部を整合し、それらを歪を生ずることなく平坦に縫着するようにしている。
【００３４】
この場合、内側周縁７ａ，８ａ同士の縫着と、外側周縁７ｂ，８ｂと額部３の後述する切欠孔の凹状湾曲縁との縫着、並びに裏地９，１０の内側周縁９ａ，１０ａ同士の縫着と、外側周縁７ｂ，８ｂと額部３の後述する切欠孔の凹状湾曲縁との縫着を、後述するそれぞれのマチの取付けと別々に行なうことも可能であるが、これらを同時に行なえば、前記縫着とマチの取付けの手数を軽減し、合理的かつ速やかに行なえる。
【００３５】
そこで、実施形態では表地７，８の内側周縁７ａ，８ａ同士の縫着と、裏地９，１０の内側周縁９ａ，１０ａ同士の縫着を、それぞれのマチ１７〜２２と同時に行なうこととし、そのマチ１７〜２２を用意する。
前記マチ１７〜２２は図１７のように、通気性の良好な帯状の等幅な布片で構成され、両端に縫着代を有し、その断面をＺ字または逆Ｓ字形状に形成し、他のマチと交差する適所に下側縁または上側縁に開口する切欠溝２３，２４を形成し、他のマチとの交差配置を可能にしている。
【００３６】
このうち、マチ１７，１８は、表地７，８の内面と、裏地９，１０の内面の各中央位置に長さ方向に配置した縦マチで、先端部を膨出部２の外側に突出して配置され、それらの上端縁または下端縁を表地７，８若しくは裏地９，１０の内面に縫着し、その縫着部を中心に表地７，８または裏地９，１０を変位可能にし、かつそれらの谷間に縫着部に沿う仕切線Ｐ1，Ｐ2を形成している。
【００３７】
また、マチ１９，２０は、表地７，８，１１の内面と、裏地９，１０，１２の内面の凸状湾曲線状に配置した曲線状の仕切マチで、略木の葉形状に形成され、それらの上端縁または下端縁を表地７，８，１１若しくは裏地９，１０，１２の内面に縫着し、その縫着部を中心に表地７，８，１１または裏地９，１０，１２を変位可能にし、かつそれらの谷間に縫着部に沿う仕切線Ｐ3，Ｐ4を形成し、表面の仕切線Ｐ3に沿って後述する化粧紐を縫着している。
【００３８】
更に、マチ２１，２２は、表地７，８の内面および裏地９，１０の内面に離間して複数配置した横マチで、前記縦マチ１７，１８と仕切マチ１９，２０に交差して配置され、それらの上端縁または下端縁を表地７，８，１１若しくは裏地９，１０，１２の内面に縫着し、その縫着部を中心に表地７，８，１１または裏地９，１０を変位可能にし、かつそれらの谷間に縫着部に沿う仕切線Ｐ5，Ｐ6を形成している。
【００３９】
図中、２５，２６は、額部３の表地１１と裏地１２の端部内面に離間して配置した小縦マチで、一端が端部の横マチ２１，２２に接合し、他端が表地１１と裏地１２の端縁に配置され、それらの上端縁または下端縁を表地１１と裏地１２の内面に縫着し、その縫着部を中心に表地１１と裏地１２を変位可能にし、かつそれらの谷間に縫着部に沿う仕切線Ｐ7，Ｐ8を形成している。
図中、２７は膨出部２と額部３の表地の境界部に縫着した化粧紐で、前記曲線マチ１９による仕切線Ｐ3に沿って形成されている。
【００４０】
こうして膨出部２の表地７，８の内面と裏地９，１０の内面に、各マチ１７〜２２を縦横かつ交差して縫着後、それらの内面を対向配置し、各内面に一端を縫着したマチ１７〜２２の他端縁を位置合わせし、この他端縁を縫着するようにしている。
この状況は図１５，１６のようで、各マチ１７〜２２を連結すると膨出部２と額部３の表地と裏地が仮組みされ、各マチと表地７，８と裏地９，１０との間に異形の矩形または扇形の複数の仕切室２８を区画形成するようにしている。
【００４１】
そして、各仕切室２８を区画形成後、額部３の表地１１と裏地１２の周縁を縫着し、また膨出部２の表地７，８と裏地９，１０の襟元１ｂ側の周縁を縫着し、掛布団１の内部を密閉するようにしている。
この後、充填材収納器（図示略）に連通する充填材注入パイプ２９を用意し、これを掛布団１の内部の各仕切室２８の通孔（図示略）に挿入し、圧縮機（図示略）を介して充填材収納器を加圧し、内部に収納した羽毛等の充填材３０を充填材注入パイプ２９に送り出し、これを各仕切室２８に充填するようにしている。
この他、図中、３１は敷き布団、３２は枕、３３は膨出部２の直下に形成された空隙部で、利用者４の身体に沿って形成している。
【００４２】
このように構成した掛布団１は膨出部２と額部３とで構成され、膨出部２は掛布団１の使用時に利用者４の身体を収容かつ被覆可能な大きさで、平面視を略木の葉形状に形成し、その先端の放物線状部で足元を被覆し、襟元側１ｂで両肩を被覆し、その表面を額部３の上面よりも若干上向きに突出形成している。
前記額部３は膨出部２の襟元側１ｂを除く外側を囲繞する平面視が略Ｕ字形若しくは逆Ｃ字形状に形成され、その外形を膨出部２よりも略大形の矩形に形成している。
【００４３】
前記膨出部２と額部３は、木綿や化繊製のそれぞれの表地と裏地を裁断し、それらの周縁を縫着して製作する。このうち、膨出部２は長さ方向の中心線を中心に左右対称の一対の表地７，８と裏地９，１０の裁断を要し、これらを細長の木の葉形状に裁断し、かつその一端の襟元側１ｂを直線状に裁断する。
この状況は図１２（ａ），（ｂ）のようで、表地７，８と裏地９，１０は、内側に若干突出する緩慢な凸状湾曲縁７ａ，８ａ，９ａ，１０ａと、外側へ大きく突出する凸状湾曲縁７ｂ，８ｂ，９ｂ，１０ｂと、を有する。
【００４４】
次に、前記一対の表地７，８と裏地９，１０の内側側縁を縫着する。この場合、実施形態ではそれぞれの縦マチ１７，１８を用いて縫着する。
前記縦マチ１７，１８は通気性の良好な帯状の布片で構成し、図１７のように長さ方向の下端縁または上端縁の適所に複数の切欠溝２３，２４を形成して置く。
前記縦マチ１７，１８は膨出部２の長さよりも長尺に形成し、その一端を足元１ａ側の外側に配置する。
【００４５】
この状況は図１５，１６のようで、膨出部２の表地７，８の側端部を重合するとともに、裏地９，１０の側端部を重合し、この重合部の内面に縦マチ１７，１８の上端または下端を重合し、これらの三重合部を縫着して表地７，８と縦マチ１７の上端を接続する。
このように表地７，８と裏地９，１０の内側の凸状湾曲線７ａ，８ａ、９ａ，１０ａ同士を縫着することによって、それらの縫着部が互いに内側へ引き寄せられ、その分生地の厚さ方向へ突出する。その際、縦マチ１７，１８の下端と上端は未だ縫着していない。
【００４６】
また、額部３の表地１１と裏地１２の足元１ａ側を対向配置し、その内面に縦マチ１７，１８の上端または下端を重合し、これらの重合部を縫着する。その際、表地１１と裏地１２はそれぞれ一体に形成され、その内面に縦マチ１７，１８の上端または下端を重合して縫着するから、その縫着部は平面状態を維持する。その際、縦マチ１７，１８の下端と上端は未だ縫着していない。
【００４７】
こうして表地７，８と裏地９，１０の内側側縁を縫着後、それらの一体的な縫着片を額部３の表地１１と裏地１２の切欠孔１３，１４に位置付け、その外側側縁７ｂ，８ｂ、９ｂ，１０ｂを切欠孔１３，１４の凹状湾曲縁１５，１６に重合し、該重合部の内面に仕切マチ１９，２０の上端または下端を重合し、これらの三重合部を縫着する。
【００４８】
その際、表地７，８の重合部に化粧紐２７を重合して配置し、該化粧紐２７を表地７，８の重合部と一緒に裏側から縫着する。前記仕切マチ１９，２０は膨出部２の長さの略二倍長に形成し、その長さ方向の下端縁または上端縁の適所に複数の切欠溝２３，２４を形成している。また、化粧紐２７は木綿または化繊の太紐を適宜に着色し、これを仕切マチ１９，２０と略同長に構成する。
【００４９】
そして、前記縫着片の外側縁部と表地１１と曲線マチ１９の上端を接続し、その重合部に化粧紐２７を縫着し、また前記縫着片の外側縁部と裏地１２と仕切マチ２０の下端を接続する。その際、縦マチ１７，１８の下端と上端は縫着していない。
このように膨出部２の縫着片を額部３の表地１１に縫着することによって、縫着部より外側の額部３の平面状態が形成され、縫着部より内側の膨出部２の突出状態が顕著に形成される。
【００５０】
こうして膨出部２と額部３の表地側と裏地側をそれぞれ矩形面状に縫着後、その矩形面の内側に複数の横マチ２１，２２と小縦マチ２５，２６を間隔を置いて縫着する。
前記横マチ２１，２２は掛け布団１の略幅方向の長さに形成し、その長さ方向の下端縁または上端縁の適所に複数の切欠溝２３，２４を形成している。また、小縦マチ２５，２６は縦マチ１７，１８の長さの略１／５に形成している。
【００５１】
そして、横マチ２１，２２の上端を額部３の表地１１の内面と、膨出部２の表地７，８に縫着し、小縦マチ２５の上端を額部３の表地１１の内面に縫着する。
また、横マチ２１，２２の下端を額部３の裏地１２の内面と、膨出部２の裏地９，１０に縫着し、小縦マチ２５の下端を額部３の裏地１２の内面に縫着する。
その際、横マチ２１の下端と横マチ２１の上端、および小縦マチ２５の下端と小縦マチ２６の上端は、縫着していない。
【００５２】
このように前記矩形の装着片に、複数の横マチ２１，２２と小縦マチ２５，２６を、縦マチ１７，１８と仕切マチ１９，２０に縦横に配置して、前記装着片を補強し、その展開状態を維持するとともに、この後の充填材の充填後の強度と形状の安定性を向上させる。
【００５３】
こうして上下一対の矩形の装着片に、縦マチ１７，１８と仕切マチ１９，２０、複数の横マチ２１，２２と小縦マチ２５，２６を縦横に配置後、前記装着片を上下に対向配置し、その内側に位置する縦マチ１７，１８と仕切マチ１９，２０と、複数の横マチ２１，２２と小縦マチ２５，２６の各上下端部を対向配置し、その接合部を縫着して上下の装着片を離間して接続する。
【００５４】
このように、仕切マチ１９の下端と仕切マチ２０の上端を接合して縫着しているから、従来のコ字形断面のマチに比べ、表地１１と裏地１２や充填材３０の変位や変動の自由度を得られ、膨出部２による身体へのフィット性や密着性を向上し得る。
また、横マチ２１，２２の上端と下端、および小縦マチ２５，２６の上端と下端を接合して縫着しているから、従来のコ字形断面のマチに比べ、表地１１と裏地１２、額部３の表地１１と裏地１２、充填材３０の変位や変動の自由度を得られ、膨出部２による身体へのフィット性や密着性を向上し得るとともに、額部３の変位の自由度を得られる。
【００５５】
この後、前記一対の装着片の周縁を縫着して周囲を閉塞し、一対の装着片と縦マチ１７，１８と、仕切マチ１９，２０と、複数の横マチ２１，２２と小縦マチ２５，２６との間に、異形の複数の仕切室２８を区画形成し、各仕切室２８に所要量の充填材３０を充填する。
その場合は、充填材収納器（図示略）に各仕切室２８の容積に応じて羽毛等の充填材３０を収納し、この充填材収納器の一側に空気圧縮機（図示略）を接続し、その他側に充填材注入パイプ２９を接続する。
【００５６】
そして、充填材注入パイプ２９の先端の注入口を所定の仕切室２８に挿入し、圧縮機（図示略）を始動して、圧縮空気を充填材収納器に送り込み、前記収納器に収納した充填材３０を充填材注入パイプ２９に送り出し、これを注入口から吹き出して仕切室２８に充填する。この状況は図１９のようである。
【００５７】
前記仕切室２８に対する充填材３０の充填後、充填材注入パイプ２９の注入口を次の仕切室２８へ移動し、また充填材収納器（図示略）に次期仕切室２８の容積に応じた充填材３０を収納し、空気圧縮機（図示略）を始動して充填材３０を仕切室２８に充填する。
この場合、膨出部２の各仕切室２８は立体縫製によって容積が増加するため、充填材３０の充填量が増量し、その分保温性が向上するとともに、膨出部２の突出変位を促す。
【００５８】
以降、充填材注入パイプ２９の注入口を別の仕切室２８へ移動し、また充填材収納器（図示略）に仕切室２８の容積に応じた充填材３０を収納して、空気圧縮機（図示略）を始動し、充填材３０を仕切室２８に充填する。
そして、各仕切室２８に充填材３０を充填したところで、掛布団１の製作が完了する。
【００５９】
充填材３０を充填後の掛布団１は、その中央部の縦方向の内部では図７のように、膨出部２が上方に膨出し、その下側の裏地９と額部３の裏地１２との間に空隙部３３が形成され、該空隙部３３が利用者４の収容スペースに利用される。
また、前記縦方向と直交する幅向の内部では図９のように、膨出部２の下側の裏地９の離間位置で空隙部３３が形成され、該空隙部３３が利用者４の収容スペースに利用され、この空隙部３３の両側が額部３の裏地１２によって閉塞され、保温性を維持する。
【００６０】
こうして製作した掛布団１は図１のようで、その正面図と襟元１ｂ側からの側面図、および足元１ａ側からの側面図は、図２乃至４のようである。
このように本発明の掛布団１は、膨出部２が中央に位置し、その表地７，８と裏地９，１０の立体縫製によって膨出部２が上方へ突出し、また膨出部２の外側の凸部湾曲縁７ｂ，８ｂと凸部湾曲縁９ｂ，１０ｂが、額部３の表地１１と裏地１２の凹状湾曲縁１５，１６に整合して平面的に縫製され、中央部における膨出部２の略木の葉形状の突出が際立ち、意匠的な審美感を奏するとともに、膨出部２の直下に空隙部３３を形成する。
【００６１】
このような掛布団１の使用時は、利用者４は敷布団３１の上に横臥し、その上に敷布団３１を掛けて使用する。その際、利用者４の全身は膨出部２の内側の空隙部３３にゆったり収容され、その両側を額部３で被覆され、襟元１ａから足元１ｂに亘って一様な保温効果を受けて、安定した睡眠を促される。
【００６２】
また、膨出部２の襟元１ａ側は利用者４の肩幅相当に形成され、膨出部２の内側の空隙部３３によってゆったり被覆され、その両側を額部３，３で閉塞されて敷布団３１との隙間の形成を可及的に抑制され、安定した保温効果を得られる。
また、寝返り時には膨出部２の変位を両側の額部３が抑制し、敷布団３１と膨出部２との隙間の形成を可及的に抑止して安定した保温効果を得られる。
【００６３】
図２３は本発明の他の実施形態を示し、前述した実施形態と対応する構成部分に同一の符号を用いている。
この実施形態は膨出部２の平面形状を略木の葉形状の代わりに、横長矩形に形成し、膨出部２の表地７，８の内側周縁７ａ，８ａを緩やかな湾曲線状に形成し、その外側周縁７ｂ，８ｂを直線状に形成し、内側周縁７ａ，８ａ同士を縫着して縫着部を一側に突出し、外側周縁７ｂ，８ｂを額部３の切欠孔１３の内側仕切縁である直線状の仕切縁に縫着している。
【００６４】
一方、膨出部２の裏地９，１０の内側周縁９ａ，１０ａを緩やかな湾曲線状に形成し、その外側周縁９ｂ，１０ｂを直線状に形成し、内側周縁９ａ，１０ａ同士を縫着して縫着部を一側に突出し、外側周縁９ｂ，１０ｂを額部３の切欠孔１４の内側仕切縁である直線状の仕切縁に縫着している。
図中、３４，３５は膨出部２の足元側１ａおよび襟元側１ｂに形成した湾曲線または山形状の膨出補助線で、充填材３０を充填した仕切室２８の膨出を促すようにしている。
【００６５】
このように膨出部２の平面形状を略木の葉形状の代わりに、横長矩形に形成することによって、膨出部２の突出を簡単に実現できるとともに、膨出部２の表地７，８と裏地９，１０の裁断が容易になり、額部３の切欠孔１３，１４の形成が容易になって、それだけ製作が容易かつ安価になる利点がある。
【産業上の利用可能性】
【００６６】
このように本発明の掛布団は、利用者の身体を被覆し収容する膨出部の外側に額部を囲繞して配置し、膨出部の突出を促すとともに、膨出部の変位を安定させて使用時における安定性やフィット性ないし密着性を向上し、身体との良好な密着性と保温性を向上し得るようにしている。
【符号の説明】
【００６７】
１          掛布団
２          膨出部
３          額部
７，８      表地
７ａ，７ｂ  凸状湾曲縁
８ａ，８ｂ  凸状湾曲縁
９，１０    裏地
９ａ，９ｂ  凸状湾曲縁
【００６８】
１０ａ，１０ｂ  凸状湾曲縁
１１        表地
１２        裏地
１５，１６    凹状湾曲縁
１７，１８    縦マチ
１９，２０    仕切マチ
２１，２２    横マチ
２５，２６    小縦マチ
【００６９】
２８          仕切室
３０          充填材
３３          空隙部
【図１】
2019180696.tif 000003
【図２】
2019180696.tif 000004
【図３】
2019180696.tif 000005
【図４】
2019180696.tif 000006
【図５】
2019180696.tif 000007
【図６】
2019180696.tif 000008
【図７】
2019180696.tif 000009
【図８】
2019180696.tif 000010
【図９】
2019180696.tif 000011
【図１０】
2019180696.tif 000012
【図１１】
2019180696.tif 000013
【図１２】
2019180696.tif 000014
【図１３】
2019180696.tif 000015
【図１４】
2019180696.tif 000016
【図１５】
2019180696.tif 000017
【図１６】
2019180696.tif 000018
【図１７】
2019180696.tif 000019
【図１８】
2019180696.tif 000020
【図１９】
2019180696.tif 000021
【図２０】
2019180696.tif 000022
【図２１】
2019180696.tif 000023
【図２２】
2019180696.tif 000024
【図２３】
2019180696.tif 000025